(57)【要約】【課題】軒裏見切り部分に設けられた換気孔からの小屋裏への雨水の侵入を防止するとともに、意匠上良好で、施工が容易な軒裏水返し材を提供する。【解決手段】本軒裏水返し材１は、外壁材４と軒天井材５とにより形成される軒裏見切り部分に設けられた換気孔７の上方において外壁材４と軒裏野縁２との間に配設されるものであって、複数の空気流入孔１４が設けられた長尺な板状部材である水返し本体１０と、水返し本体１０の下面の空気流入孔１４よりも外壁材４側から下方に突出するように固定された柔軟性を有する第１ヒレ片１１と、を備え、換気孔７から吹き込む風の風圧によって第１ヒレ片１１が空気流入孔１４を下方から塞ぐように揺動するものである。【選択図】図５
2007092414.tif 000002
【特許請求の範囲】
【請求項１】
外壁材と軒天井材とにより形成される軒裏見切り部分に設けられた換気孔の上方において前記外壁材と軒裏野縁との間に配設される軒裏水返し材であって、
複数の空気流入孔が設けられた長尺な板状部材である水返し本体と、
該水返し本体の下面の前記空気流入孔よりも前記外壁材側から下方に突出するように固定された柔軟性を有する第１ヒレ片と、を備え、
前記換気孔から吹き込む風の風圧によって前記第１ヒレ片が前記空気流入孔を下方から塞ぐように揺動することを特徴とする軒裏水返し材。
【請求項２】
前記第１ヒレ片は、軒先側に膨らむように湾曲していることを特徴とする請求項１記載の軒裏水返し材。
【請求項３】
前記水返し本体の外壁材側端部から前記外壁材側に突出するように固定された柔軟性を有する第２ヒレ片を備えることを特徴とする請求項１又は２記載の軒裏水返し材。
【請求項４】
前記水返し本体の軒先側端部から前記軒先側に突出するように固定された柔軟性を有する第３ヒレ片を備えることを特徴とする請求項１乃至３のいずれかに記載の軒裏水返し材。
【請求項５】
外壁材と軒天井材とにより形成される軒裏見切り部分に設けられた換気孔の上方において前記外壁材と軒裏野縁との間に請求項１乃至４のいずれかに記載の軒裏水返し材が配設されたことを特徴とする軒裏換気構造。
【発明の詳細な説明】
【技術分野】
【０００１】
本発明は、軒裏見切り部分に設けられた換気孔から小屋裏への雨水の侵入を防止する軒裏水返し材及び軒裏換気構造に関する。
【背景技術】
【０００２】
従来、図１１に示すように、住宅等の勾配屋根１００を有する建物の外壁材１０１と軒天井材１０２の取り合い部分である軒裏見切り部分には、軒裏見切り材１０３が取り付けられているのが一般的である。この軒裏見切り材１０３には、小屋裏を換気するための換気孔１０４が設けられている。しかし、台風等の影響により風雨が強い場合、この換気孔１０４から雨水が小屋裏側に浸入することがあった。この場合、軒天井材１０２の小屋裏側や野地板１０５、母屋１０６等の部材が濡れてそれらの部材の腐食や反りを招くことが懸念されていた。また、さらに風雨が強い場合には、外壁材１０１の天端レベルを高くして壁断熱材１０７や天井断熱材１０８が濡れないように保護しているにもかかわらず、軒の小屋裏のみならず、室内側の天井裏まで雨水が浸入し、壁断熱材１０７や天井断熱材１０８が濡れて断熱性能が下がったり、室内への漏水を招くことが懸念されていた。
【０００３】
そこで、軒裏見切り部分に設けられた換気孔から小屋裏への雨水の侵入を防止する軒裏見切り材がある（例えば、特許文献１参照）。この軒裏見切り材は、下方側へ凸状に突出するとともに、複数の換気孔が形成された換気部と、該換気部の凹部内に成形された開閉弁を有する開閉部とから構成されたものであり、換気孔から強風が吹き込んだ場合、開閉弁が換気孔から流入する空気の流路を遮断するようになされている。
【特許文献１】特開平８−３１２０１７号公報
【発明の開示】
【発明が解決しようとする課題】
【０００４】
しかしながら、特許文献１の軒裏見切り材では、換気部が下方へ凸状に突出しているため、軒裏見切り材が目立ち、意匠上問題があった。また、この軒裏見切り材を用いるには、軒裏見切り部分の納まりが限定されるため、建物の敷地の特性上強風対策が必要でない方位の面がある場合、通常の軒裏見切り材を使用する部分と特許文献１の軒裏見切り材を使用する部分とで異なる納まりとする必要があり、施工が複雑になっていた。
【０００５】
そこで、本発明は、軒裏見切り部分に設けられた換気孔からの小屋裏への雨水の侵入を防止するとともに、意匠上良好で、施工が容易な軒裏水返し材及び軒裏換気構造を提供することを目的とする。
【課題を解決するための手段】
【０００６】
上記目的を達成するために、請求項１記載の軒裏水返し材は、外壁材と軒天井材とにより形成される軒裏見切り部分に設けられた換気孔の上方において前記外壁材と軒裏野縁との間に配設される軒裏水返し材であって、複数の空気流入孔が設けられた長尺な板状部材である水返し本体と、該水返し本体の下面の前記空気流入孔よりも前記外壁材側から下方に突出するように固定された柔軟性を有する第１ヒレ片と、を備え、前記換気孔から吹き込む風の風圧によって前記第１ヒレ片が前記空気流入孔を下方から塞ぐように揺動することを特徴としている。
【０００７】
請求項２記載の軒裏水返し材は、請求項１記載の軒裏水返し材において、前記第１ヒレ片は、軒先側に膨らむように湾曲していることを特徴としている。
【０００８】
請求項３記載の軒裏水返し材は、請求項１又は２記載の軒裏水返し材において、前記水返し本体の外壁材側端部から前記外壁材側に突出するように固定された柔軟性を有する第２ヒレ片を備えることを特徴としている。
【０００９】
請求項４記載の軒裏水返し材は、請求項１乃至３のいずれかに記載の軒裏水返し材において、前記水返し本体の軒先側端部から前記軒先側に突出するように固定された柔軟性を有する第３ヒレ片を備えることを特徴としている。
【００１０】
請求項５記載の軒裏換気構造は、外壁材と軒天井材とにより形成される軒裏見切り部分に設けられた換気孔の上方において前記外壁材と軒裏野縁との間に請求項１乃至４のいずれかに記載の軒裏水返し材が配設されたことを特徴としている。
【発明の効果】
【００１１】
本発明の請求項１の軒裏水返し材によれば、複数の空気流入孔が設けられた長尺な板状部材である水返し本体と、該水返し本体の下面の前記空気流入孔よりも外壁材側から下方に突出するように固定されるとともに、軒先側に膨らむように湾曲した柔軟性を有する第１ヒレ片と、を備え、換気孔から吹き込む風の風圧によって前記第１ヒレ片が前記空気流入孔を下方から塞ぐように揺動するため、軒裏見切り部分に設けられた換気孔からの小屋裏への雨水の侵入を防止できる。また、軒裏水返し材は、軒裏の見切り部分に設けられた換気孔の上方に配設されるため、従来通りの軒裏見切り材を使用でき、意匠上良好である。また、軒裏の見切り部分の納まりを従来通りの納まりとすることができるため、施工が容易である。さらに、換気孔から小屋裏に至る換気経路の途中に空気流入孔が設けてあるため、風圧がさらに弱くなる減圧効果が期待できる。
【００１２】
請求項２の軒裏水返し材によれば、請求項１記載の軒裏水返し材の効果に加えて、第１ヒレ片は、軒先側に膨らむように湾曲しているため、換気孔７から吹き込む風の風圧を受けやすく、空気流入孔１４を塞ぐのに好適である。
【００１３】
請求項３の軒裏水返し材によれば、請求項１又は２記載の軒裏水返し材の効果に加えて、水返し本体の外壁材側端部から前記外壁材側に突出するように固定された柔軟性を有する第２ヒレ片を備えるため、軒裏水返し材と外壁材との間から雨水が小屋裏に侵入するのを防止できる。
【００１４】
請求項４の軒裏水返し材によれば、請求項１乃至３のいずれかに記載の軒裏水返し材の効果に加えて、水返し本体の軒先側端部から前記軒先側に突出するように固定された柔軟性を有する第３ヒレ片を備えるため、軒裏水返し材と軒裏野縁との間から雨水が小屋裏に侵入するのを防止できる。
【００１５】
請求項５の軒裏換気構造によれば、外壁材と軒天井材とにより形成される軒裏見切り部分に設けられた換気孔の上方において前記外壁材と軒裏野縁との間に請求項１乃至４のいずれかに記載の軒裏水返し材が配設されているため、軒裏見切り部分に設けられた換気孔からの小屋裏への雨水の侵入を防止できる。また、軒裏の見切り部分の納まりを従来通りの納まりとすることができるため、意匠上良好であるとともに、施工が容易である。
【発明を実施するための最良の形態】
【００１６】
以下、本発明の実施の形態に係る軒裏水返し材について図面に基づいて説明する。
図１は、本発明の実施の形態に係る軒裏水返し材１と、該軒裏水返し材１を軒裏に配設された軒裏野縁２に固定するための取付具３の概略構成を示す斜視図である。また、図２（ａ）は、軒裏水返し材１の平面図であり、図２（ｂ）は、軒裏水返し材１の断面図である。軒裏水返し材１は、図示するように、水返し本体１０と、第１ヒレ片１１と、第２ヒレ片１２と、第３ヒレ片１３を主体に構成される。また、この軒裏水返し材１は、図３乃至図５に示すように、主原料としてセメント質原料および繊維質原料を用いた外装用板材、いわゆる、サイディングボード等からなる外壁材４と、サイディングボード等からなる軒天井材５とにより形成される軒裏見切り部分に設けられた軒裏見切り材６の換気孔７の上方において外壁材４と軒裏野縁２との間に配設されるものである。以下、詳細に説明する。
【００１７】
前記水返し本体１０は、図１及び図２（ａ）、（ｂ）に示すように、硬質樹脂製の長尺な板状部材であり、複数の空気流入孔１４が所定間隔で設けられている。この空気流入孔１４は、平面視において水返し本体１０の長手方向に長い長方形形状をしており、水返し本体１０の短手方向中央よりも軒先側に寄った位置に設けられている。このように、換気孔７から小屋裏に至る換気経路の途中に空気流入孔１４が設けてあるため、風圧が弱くなる減圧効果が期待できる。
【００１８】
前記第１ヒレ片１１は、水返し本体１０の下面の空気流入孔１４よりも外壁材４側から下方に突出するように固定された軟質樹脂製のヒレ片である。この第１ヒレ片１１は、強風時に風圧によってその先端部分が持ち上がって空気流入孔１４を下方から塞ぐことができるように柔軟性を有するとともに、全ての空気流入孔１４を下方から塞ぐに十分な所定の長さと幅を有している長尺な部材である。また、軒先側に膨らむように湾曲した形状をしており、そのため、換気孔７から吹き込む風の風圧を受けやすく、空気流入孔１４を塞ぐのに好適である。
【００１９】
前記第２ヒレ片１２は、水返し本体１０の外壁材４側端部から外壁材４側やや斜め上方に突出するように固定された軟質樹脂製の柔軟性を有するヒレ片であり、所定の長さを有するとともに、水返し本体１０の長手方向全長にわたって長尺に形成されている。この第２ヒレ片１２は、軒裏水返し材１を外壁材４と軒裏野縁２との間に配設した際に、外壁材４の屋外側表面に当接して該外壁材４と軒裏水返し材１の間から雨水が小屋裏に侵入するのを防止するものである。また、第２ヒレ片１２は、所定の長さを有しているため、外壁材４の屋外側表面に凹凸模様等の意匠柄が施してある場合であっても、外壁材４との間に隙間が生じることを防止でき、雨水の浸入を防止できる。
【００２０】
前記第３ヒレ片１３は、水返し本体１０の軒先側端部から軒先側にほぼ水平に突出するように固定された軟質樹脂製の柔軟性を有するヒレ片であり、水返し本体１０の長手方向全長にわたって長尺に形成されている。この第３ヒレ片１３は、軒裏水返し材１を外壁材４と軒裏野縁２との間に配設した際に、軒裏野縁２と当接して該軒裏野縁２と軒裏水返し材１の間から雨水が小屋裏に侵入するのを防止するものである。
【００２１】
以上の構成からなる軒裏水返し材１を軒裏野縁２に固定する取付具３は、硬質樹脂製の取付具であって、図６に示すように、軒裏野縁２に係止するための係止部３０と、軒裏水返し材１の空気流入孔１４に取り付けるための突起部３１を主体に構成される。
【００２２】
前記係止部３０は、軒裏水返し材１への取付時に水返し本体１０の上面に当接する水返し材当接板３００と、該水返し材当接板３００の一方の端部から垂直上方に突出するように固定された垂直板３０１と、該垂直板３０１の上端部から水返し材当接板３００と反対方向水平に突出するように固定された水平板３０２と、該水平板３０２の他端部から外壁材４側やや斜め下方に突出するように固定され、その先端に折り返し片３０３を有する係止板３０４とを備えている。
【００２３】
前記突起部３１は、水返し材当接板３００の下面に固定された中間板３１０と、該中間板３１０の下面に固定され、中間板３１０よりも所定幅分平面方向に大きい突起板３１１とを備えている。この中間板３１０の取付具３の長手方向の長さは、空気流入孔１４の軒裏水返し材１の短手方向の幅よりやや小さく、中間板３１０の対角方向の長さと空気流入孔１４の軒裏水返し材１の短手方向の幅が略同じである。また、突起板３１１の大きさは、空気流入孔１４に差し込むことができる大きさである。
【００２４】
このように構成される取付具３を軒裏水返し材１に取り付けるには、図７（ａ）に示すように、まず、取付具３を軒裏水返材１に対して斜めになるように角度を振った状態で突起部３１を空気流入孔１４の上方からその内側へ差し込む。そして、図中矢印で示すように、取付具３の係止部３０を軒先側に回転させると、図７（ｂ）に示すように、取付具３の中間板３１０の長手方向の長さが空気流入孔１４の軒裏水返し材１の短手方向の幅よりやや小さく、突起板３１１が中間板３１０よりも所定幅分平面方向に大きいため、突起板３１１が水返し本体１０の下面に係止して、取付具３を軒裏水返し材１に取り付けることができる。
【００２５】
なお、軒裏水返し材１は、図５に示すように、軒裏野縁２と外壁材４との間に突っ張った状態で配設されるため、取付具３を取り付けなくても軒裏水返し材１を軒裏野縁２と外壁材４との間に配設できる。しかし、想定以上の強風が吹き上げた場合等を考慮すると取付具３を取り付けて軒裏野縁２に係止する方が好ましい。すなわち、取付具３は、必要最小限の個数を取り付ければよく、例えば、５００ｍｍ程度のピッチで取り付けられる。また、取付具３を取り付けることにより、軒裏水返し材１を所定位置に配設でき、軒裏水返し材１が所定位置よりも下方に下がって換気性能を損なうことを防止できる。
【００２６】
また、取付具３の形状は、上記のものに限定されるものではなく、例えば、図８（ａ）、（ｂ）に示すように、突起部３１として折り返し片３１２を有する２枚の突起板３１３が、その両端面が空気流入孔１４の軒裏水返し材１の短手方向の幅と略同じ間隔となるように水返し材当接板３００の下面に突出するように固定されたものであってもよい。この場合、２枚の突起板３１３を空気流入孔１４に上方から差し込むことにより、突起板３１３の折り返し片３１２が水返し本体１０の下面に係止して、取付具３を軒裏水返し材１に取り付けることができる。
【００２７】
さらに、取付具３の別の形状としては、図９（ａ）、（ｂ）、（ｃ）に示すように、水返し材当接板３００に平面視凹状の切り込みをいれて、テーパー状に形成された返し止め部３１４を有する返し止め板３１５が形成されるとともに、突起部３１として断面略Ｌ字上の突起板３１６が水返し材当接板３００の下面側に突出するように固定されたものであってもよい。この突起板３１６の先端部分にはテーパー部３１７が設けられており、水返し本体１０の空気流入孔１４と空気流入孔１４の間のブリッジ部１５を挿入しやすいようになされている。この取付具３を軒裏水返し材１に取り付けるには、図１０（ａ）に示すように、まず、突起部３１を空気流入孔１４の上方からその内側へ差し込む。そして、図中矢印で示すように、返し止め板３１５と突起板３１６のテーパー部３１７で水返し本体１０のブリッジ部１５を挟むようにして取付具３を軒裏水返し材１の長手方向にスライドさせると、図１０（ｂ）に示すように、水返し本体１０のブリッジ部１５が返し止め板３１５と突起板３１６のテーパー部３１７の間を通過し、ブリッジ部１５が返し止め板３１５の返し止め部３１４と、水返し材当接板３００と、突起板３１６により囲まれる。これにより、取付具３を軒裏水返し材１に取り付けることができる。
【００２８】
次に、以上の構成の軒裏水返し材１を用いた本発明の実施の形態に係る軒裏換気構造について説明する。
図３は、軒裏換気構造８の概略構成を示す断面図である。図４は、図３のＸ部の斜視図であり、また、図５は、図３のＸ部の拡大図である。軒裏換気構造８は、図示するように、軒裏水返し材１と、軒裏野縁２と、取付具３と、外壁材４と、軒天井材５と、換気孔７を有するとともに、所定間隔でジョイナ９を介して軒裏野縁２に固定される軒裏見切り材６を主体にして構成される。この軒裏換気構造８では、外壁材４と軒天井材５とにより形成される軒裏見切り部分に設けられた軒裏見切り材６の換気孔７の上方において、外壁材４と軒裏野縁２との間に軒裏水返し材１が配設される。
【００２９】
この軒裏換気構造８を形成するには、まず、外壁材４を含む外壁を施工し、次いで、軒裏野縁２を図外の吊りボルト等を用いて軒裏の所定位置に配設する。そして、前述のようにして軒裏水返し材１に取付具３を取り付けてから、図９（ａ）に示すように、軒裏野縁２の切欠部２０に取付具３の折り返し片３０３を引っ掛けるとともに、図中矢印で示すように、軒裏水返し材１及び取付具３を外壁材４側に回転させる。そして、図９（ｂ）に示すように、軒裏水返し材１の第２ヒレ片１２が外壁材４に当接した状態から取付具３の水平板３０２が軒裏野縁２の天端に当接するように図中矢印方向に押し込むと、図９（ｃ）に示すように、軒裏水返し材１が配設される。なお、取付具３は、硬質樹脂製であるため、若干の変形は許容でき、軒裏水返し材１が配設された後は元の形状に戻る。このとき、軒裏水返し材１は、軒裏野縁２と外壁材４との間に突っ張った状態で配設されるため、第２ヒレ片１２と外壁材４との間、及び第３ヒレ片１３と軒裏野縁２との間には隙間が生じず、それらの間から雨水が小屋裏に侵入するのを防止できる。
【００３０】
軒裏水返し材１の配設後、軒裏見切り材６及び軒天井材５を所定の施工方法により施工する。このように、従来通りの納まりに対して軒裏水返し材１及び取付具３を設けているので、軒裏の見切り部分の納まりを従来通りの納まりとすることができ、施工が容易である。
【００３１】
以上のように構成される軒裏換気構造８において、下方から換気孔７に強風が吹き込んだ場合、図１０に示すように、軒裏水返し材１の第１ヒレ片１１が風の風圧により揺動して、空気流入孔１４を下方から塞ぐようになっている。これにより、台風等の強風時に雨水が換気孔７からの小屋裏へ侵入するのを防止できる。したがって、図３に示すように、壁断熱材１０７や天井断熱材１０８を雨水から保護するために高くしていた外壁材４の天端レベルを従来よりも低くすることができ、外壁材４のコストを抑えることができる。また、軒天井材５の小屋裏側や野地板１０５、母屋１０６等の部材を濡らすことがないので、それらの部材の劣化を軽減でき、建物の耐久性向上を図ることができる。
【００３２】
以上の説明より明らかなように、本発明の実施の形態に係る軒裏水返し材１によれば、軒裏見切り部分に設けられた換気孔７からの小屋裏への雨水の侵入を防止できる。また、軒裏水返し材１は、軒裏の見切り部分に設けられた換気孔７の上方に配設されるため、従来通りの軒裏見切り材を使用でき、意匠上良好である。また、軒裏の見切り部分の納まりを従来通りの納まりとすることができるため、施工が容易である。また、換気孔７から小屋裏に至る換気経路の途中に空気流入孔１４が設けてあるため、風圧が弱くなる減圧効果が期待できる。また、第２ヒレ片１２を備えるため、軒裏水返し材１と外壁材４との間から雨水が小屋裏に侵入するのを防止できる。さらに、第３ヒレ片１３を備えるため、軒裏水返し材１と軒裏野縁２との間から雨水が小屋裏に侵入するのを防止できる。
【００３３】
また、本発明の実施の形態に係る軒裏換気構造８によれば、外壁材４と軒天井材５とにより形成される軒裏見切り部分に設けられた軒裏見切り材６の換気孔７の上方において、外壁材４と軒裏野縁５との間に軒裏水返し材１が配設されているため、軒裏見切り部分に設けられた換気孔７からの小屋裏への雨水の侵入を防止できる。また、軒裏の見切り部分の納まりを従来通りの納まりとすることができるため、意匠上良好であるとともに、施工が容易である。
【００３４】
なお、本発明は上記実施形態に限定されるものではなく、本発明の要旨の範囲内で種々の変形実施が可能である。例えば、本実施の形態では、第１ヒレ片１１は、軒先側に膨らむように湾曲した形状をしているが、異なる形状、例えば、湾曲せずに真下に延びた形状であってもよい。また、軒裏水返し材１は、第２ヒレ片１２と第３ヒレ片１３を備えているが、どちらか一方のみを備えていたり、またはどちらも備えていないものであってもよい。また、軒天を勾配のない平軒としているが、勾配のある軒天とすることもできる。
【産業上の利用可能性】
【００３５】
本発明は、軒裏の見切り部分に設けられた換気孔から小屋裏への雨水の侵入を防止する場合に利用可能である。
【図面の簡単な説明】
【００３６】
【図１】本発明の実施の形態に係る軒裏水返し材と取付具の概略構成を示す斜視図である。
【図２】軒裏水返し材の一例を示す平面図及び断面図である。
【図３】軒裏水返し材を用いた本発明の実施の形態に係る軒裏換気構造の概略構成を示す断面図である。
【図４】図３のＸ部の斜視図である。
【図５】図３のＸ部の拡大図である。
【図６】取付具の一例を示す平面図及び側面図である。
【図７】取付具の軒裏水返し材への取付方法を示す平面図である。
【図８】取付具の他の例を示す平面図及び側面図である。
【図９】取付具の他の例を示す平面図及び側面図である。
【図１０】他の例の取付具の軒裏水返し材への取付方法を示す平面図である。
【図１１】軒裏水返し材の配設方法を示す断面図である。
【図１２】強風時における軒裏水返し材の状態を示す断面図である。
【図１３】従来の軒裏換気構造の一例を示す断面図である。
【符号の説明】
【００３７】
１    軒裏水返し材
１０    水返し本体
１１    第１ヒレ片
１２    第２ヒレ片
１３    第３ヒレ片
１４    空気流入孔
２    軒裏野縁
４    外壁材
５    軒天井材
７    換気孔
８    軒裏換気構造
【図１】
2007092414.tif 000003
【図２】
2007092414.tif 000004
【図３】
2007092414.tif 000005
【図４】
2007092414.tif 000006
【図５】
2007092414.tif 000007
【図６】
2007092414.tif 000008
【図７】
2007092414.tif 000009
【図８】
2007092414.tif 000010
【図９】
2007092414.tif 000011
【図１０】
2007092414.tif 000012
【図１１】
2007092414.tif 000013
【図１２】
2007092414.tif 000014
【図１３】
2007092414.tif 000015